(57)【要約】【課題】電子内視鏡とプロセッサの画像伝送方式（映像システム）が異なっている場合であっても、簡単にこれらを一致させることができる電子内視鏡及び電子内視鏡システム、並びに電子内視鏡の画像伝送方式の設定方法及び設定プログラムを提供する。【解決手段】プロセッサに接続可能な電子内視鏡であって、前記プロセッサへの接続状態で、前記電子内視鏡の画像伝送方式と前記プロセッサの画像伝送方式が一致しているか否かを判定する判定部と、前記電子内視鏡の画像伝送方式と前記プロセッサの画像伝送方式が一致していないと前記判定部が判定したとき、前記電子内視鏡の画像伝送方式を切替え可能な切替え部と、を有することを特徴とする電子内視鏡。【選択図】図７
2018143328.tif 000002
【特許請求の範囲】
【請求項１】
プロセッサに接続可能な電子内視鏡であって、
前記プロセッサへの接続状態で、前記電子内視鏡の画像伝送方式と前記プロセッサの画像伝送方式が一致しているか否かを判定する判定部と、
前記電子内視鏡の画像伝送方式と前記プロセッサの画像伝送方式が一致していないと前記判定部が判定したとき、前記電子内視鏡の画像伝送方式を切替え可能な切替え部と、
を有することを特徴とする電子内視鏡。
【請求項２】
前記切替え部は、前記電子内視鏡の画像伝送方式と前記プロセッサの画像伝送方式が一致していないと前記判定部が判定した場合において、予め定められた第１の入力操作が実行されたとき、前記電子内視鏡の画像伝送方式を切替えるための切替えフラグを成立させる、
ことを特徴とする請求項１に記載の電子内視鏡。
【請求項３】
前記切替え部は、前記切替えフラグの成立中に前記電子内視鏡が前記プロセッサに再接続された場合において、所定時間内に予め定められた第２の入力操作が実行されたとき、前記電子内視鏡の画像伝送方式の切替えを実行する、
ことを特徴とする請求項２に記載の電子内視鏡。
【請求項４】
前記第１、第２の入力操作は、前記電子内視鏡に設けられた入力操作部のうち、当該入力操作部の基本的な機能を発揮させるための入力操作とは異なる特殊入力操作に設定されている、
ことを特徴とする請求項３に記載の電子内視鏡。
【請求項５】
複数の電子内視鏡に対応付けられた複数の候補データを格納する候補データ格納部と、
前記プロセッサとの間の通信により、前記候補データ格納部が格納する前記複数の候補データのいずれかを抽出する候補データ抽出部と、
前記候補データ抽出部が抽出した前記候補データを設定データとして格納する設定データ格納部と、
をさらに有することを特徴とする請求項１から請求項４のいずれかに記載の電子内視鏡。
【請求項６】
前記電子内視鏡の画像伝送方式と前記プロセッサの画像伝送方式は、少なくとも、ＮＴＳＣ方式とＰＡＬ方式を含んでいる、
ことを特徴とする請求項１から請求項５のいずれかに記載の電子内視鏡。
【請求項７】
互いに接続可能な電子内視鏡とプロセッサを有する電子内視鏡システムであって、
前記電子内視鏡は、
前記プロセッサへの接続状態で、前記電子内視鏡の画像伝送方式と前記プロセッサの画像伝送方式が一致しているか否かを判定する判定部と、
前記電子内視鏡の画像伝送方式と前記プロセッサの画像伝送方式が一致していないと前記判定部が判定したとき、前記電子内視鏡の画像伝送方式を切替え可能な切替え部と、
を有することを特徴とする電子内視鏡システム。
【請求項８】
前記切替え部は、前記電子内視鏡の画像伝送方式と前記プロセッサの画像伝送方式が一致していないと前記判定部が判定した場合において、予め定められた第１の入力操作が実行されたとき、前記電子内視鏡の画像伝送方式を切替えるための切替えフラグを成立させる、
ことを特徴とする請求項７に記載の電子内視鏡システム。
【請求項９】
前記切替え部は、前記切替えフラグの成立中に前記電子内視鏡が前記プロセッサに再接続された場合において、所定時間内に予め定められた第２の入力操作が実行されたとき、前記電子内視鏡の画像伝送方式の切替えを実行する、
ことを特徴とする請求項８に記載の電子内視鏡システム。
【請求項１０】
前記第１、第２の入力操作は、前記電子内視鏡に設けられた入力操作部のうち、当該入力操作部の基本的な機能を発揮させるための入力操作とは異なる特殊入力操作に設定されている、
ことを特徴とする請求項９に記載の電子内視鏡システム。
【請求項１１】
前記電子内視鏡は、
複数の電子内視鏡に対応付けられた複数の候補データを格納する候補データ格納部と、
前記プロセッサとの間の通信により、前記候補データ格納部が格納する前記複数の候補データのいずれかを抽出する候補データ抽出部と、
前記候補データ抽出部が抽出した前記候補データを設定データとして格納する設定データ格納部と、
をさらに有することを特徴とする請求項７から請求項１０のいずれかに記載の電子内視鏡システム。
【請求項１２】
前記電子内視鏡の画像伝送方式と前記プロセッサの画像伝送方式は、少なくとも、ＮＴＳＣ方式とＰＡＬ方式を含んでいる、
ことを特徴とする請求項７から請求項１１のいずれかに記載の電子内視鏡システム。
【請求項１３】
プロセッサに接続可能な電子内視鏡の画像伝送方式の設定方法であって、
前記プロセッサへの接続状態で、前記電子内視鏡の画像伝送方式と前記プロセッサの画像伝送方式が一致しているか否かを判定する判定ステップと、
前記電子内視鏡の画像伝送方式と前記プロセッサの画像伝送方式が一致していないと前記判定ステップで判定したとき、前記電子内視鏡の画像伝送方式を切替え可能な切替えステップと、
を有することを特徴とする電子内視鏡の画像伝送方式の設定方法。
【請求項１４】
プロセッサに接続可能な電子内視鏡の画像伝送方式の設定プログラムであって、
前記プロセッサへの接続状態で、前記電子内視鏡の画像伝送方式と前記プロセッサの画像伝送方式が一致しているか否かを判定する判定ステップと、
前記電子内視鏡の画像伝送方式と前記プロセッサの画像伝送方式が一致していないと前記判定ステップで判定したとき、前記電子内視鏡の画像伝送方式を切替え可能な切替えステップと、
をコンピュータに実行させることを特徴とする電子内視鏡の画像伝送方式の設定プログラム。
【発明の詳細な説明】
【技術分野】
【０００１】
本発明は、電子内視鏡及び電子内視鏡システム、並びに電子内視鏡の画像伝送方式の設定方法及び設定プログラムに関する。
【背景技術】
【０００２】
電子内視鏡は、使用者（医師等の検査者や患者等の被検査者を含む）の要望に対応するため、複数の機種（例えば上部消化管内視鏡や下部消化管内視鏡等）が存在する。多いシリーズでは６０種類程度の機種が存在しており、機種毎に最適な設定データ（例えば画質パラメータ等）が異なるのが一般的である。
【０００３】
電子内視鏡では、その製造時やメンテナンス時などの各種のタイミングで、自身に最適な設定データを専用のメモリ（例えばＥＥＰＲＯＭ等）に格納する（書き込む）処理が行われる。電子内視鏡の起動時には、メモリに格納された設定データが読み出され、各デバイスへのレジスタ初期設定等が行われる。
【０００４】
従来、電子内視鏡のメモリに設定データを格納する場合には、電子内視鏡に専用の設定機器を接続し、この設定機器から電子内視鏡に設定データを伝送し、電子内視鏡のマイコンの制御の下で、設定機器から伝送されてきた設定データをメモリに格納していた。
【０００５】
一方、本出願人は、特願２０１６−１５７３３２において、電子内視鏡に、複数の電子内視鏡に対応付けられた複数の候補データを格納する候補データ格納部と、プロセッサとの間の通信により、候補データ格納部が格納する複数の候補データのいずれかを抽出する候補データ抽出部と、候補データ抽出部が抽出した候補データを設定データとして格納する設定データ格納部と、を設けることを提案している。
【先行技術文献】
【特許文献】
【０００６】
【特許文献１】特開２００３−２１０４０２号公報
【発明の概要】
【発明が解決しようとする課題】
【０００７】
しかしながら、電子内視鏡とプロセッサの画像伝送方式（映像システム）が異なっていると、正常な画像（映像）を出力することができない。その結果、例えば、電子内視鏡のメモリに最適な設定データをスムーズに格納することが困難になってしまう。また、電子内視鏡とプロセッサの画像伝送方式が異なっているために正常な画像を出力することができないことは、その他にも様々な動作障害を引き起こすおそれがある。さらに、製造側の立場から見ると、電子内視鏡とプロセッサの画像伝送方式を考慮して両者が一致するように管理することは、負担が大きく手間が掛かるものであった。
【０００８】
本発明は、以上の問題意識に基づいて完成されたものであり、電子内視鏡とプロセッサの画像伝送方式（映像システム）が異なっている場合であっても、簡単にこれらを一致させることができる電子内視鏡及び電子内視鏡システム、並びに電子内視鏡の画像伝送方式の設定方法及び設定プログラムを提供することを目的の１つとする。
【課題を解決するための手段】
【０００９】
本発明の一態様の電子内視鏡は、プロセッサに接続可能な電子内視鏡であって、前記プロセッサへの接続状態で、前記電子内視鏡の画像伝送方式と前記プロセッサの画像伝送方式が一致しているか否かを判定する判定部と、前記電子内視鏡の画像伝送方式と前記プロセッサの画像伝送方式が一致していないと前記判定部が判定したとき、前記電子内視鏡の画像伝送方式を切替え可能な切替え部と、を有することを特徴としている。
【００１０】
本発明の一態様の電子内視鏡システムは、互いに接続可能な電子内視鏡とプロセッサを有する電子内視鏡システムであって、前記電子内視鏡は、前記プロセッサへの接続状態で、前記電子内視鏡の画像伝送方式と前記プロセッサの画像伝送方式が一致しているか否かを判定する判定部と、前記電子内視鏡の画像伝送方式と前記プロセッサの画像伝送方式が一致していないと前記判定部が判定したとき、前記電子内視鏡の画像伝送方式を切替え可能な切替え部と、を有することを特徴としている。
【００１１】
前記切替え部は、前記電子内視鏡の画像伝送方式と前記プロセッサの画像伝送方式が一致していないと前記判定部が判定した場合において、予め定められた第１の入力操作が実行されたとき、前記電子内視鏡の画像伝送方式を切替えるための切替えフラグを成立させることができる。
【００１２】
前記切替え部は、前記切替えフラグの成立中に前記電子内視鏡が前記プロセッサに再接続された場合において、所定時間内に予め定められた第２の入力操作が実行されたとき、前記電子内視鏡の画像伝送方式の切替えを実行することができる。
【００１３】
前記第１、第２の入力操作は、前記電子内視鏡に設けられた入力操作部のうち、当該入力操作部の基本的な機能を発揮させるための入力操作とは異なる特殊入力操作に設定することができる。
【００１４】
前記電子内視鏡は、複数の電子内視鏡に対応付けられた複数の候補データを格納する候補データ格納部と、前記プロセッサとの間の通信により、前記候補データ格納部が格納する前記複数の候補データのいずれかを抽出する候補データ抽出部と、前記候補データ抽出部が抽出した前記候補データを設定データとして格納する設定データ格納部と、をさらに有することができる。
【００１５】
前記電子内視鏡の画像伝送方式と前記プロセッサの画像伝送方式は、少なくとも、ＮＴＳＣ方式とＰＡＬ方式を含むことができる。
【００１６】
本発明の一態様の電子内視鏡の画像伝送方式の設定方法は、プロセッサに接続可能な電子内視鏡の画像伝送方式の設定方法であって、前記プロセッサへの接続状態で、前記電子内視鏡の画像伝送方式と前記プロセッサの画像伝送方式が一致しているか否かを判定する判定ステップと、前記電子内視鏡の画像伝送方式と前記プロセッサの画像伝送方式が一致していないと前記判定ステップで判定したとき、前記電子内視鏡の画像伝送方式を切替え可能な切替えステップと、を有することを特徴としている。
【００１７】
本発明の一態様の電子内視鏡の画像伝送方式の設定プログラムは、プロセッサに接続可能な電子内視鏡の画像伝送方式の設定プログラムであって、前記プロセッサへの接続状態で、前記電子内視鏡の画像伝送方式と前記プロセッサの画像伝送方式が一致しているか否かを判定する判定ステップと、前記電子内視鏡の画像伝送方式と前記プロセッサの画像伝送方式が一致していないと前記判定ステップで判定したとき、前記電子内視鏡の画像伝送方式を切替え可能な切替えステップと、をコンピュータに実行させることを特徴としている。
【発明の効果】
【００１８】
本発明によれば、電子内視鏡とプロセッサの画像伝送方式（映像システム）が異なっている場合であっても、簡単にこれらを一致させることができる電子内視鏡及び電子内視鏡システム、並びに電子内視鏡の画像伝送方式の設定方法及び設定プログラムを提供することができる。
【図面の簡単な説明】
【００１９】
【図１】本実施形態の電子内視鏡システムを示す全体構成図である。
【図２】電子内視鏡に設けられた入力操作スイッチ（入力操作部）を示す概略ブロック図である。
【図３】設定データの格納処理（書き込み処理）のための電子内視鏡とプロセッサの構成要素を示す機能ブロック図である。
【図４】本実施形態の電子内視鏡システムによる設定データの格納処理（書き込み処理）を示すフローチャートである。
【図５】電子内視鏡の画像伝送方式を切替えるための構成要素を示す機能ブロック図である。
【図６】電子内視鏡の画像伝送方式の切替え処理を示す第１のフローチャートである。
【図７】電子内視鏡の画像伝送方式の切替え処理を示す第２のフローチャートである。
【発明を実施するための形態】
【００２０】
図１〜図７を参照して、本実施形態による電子内視鏡システム１０について説明する。
【００２１】
図１に示すように、電子内視鏡システム１０は、電子内視鏡１００と、プロセッサ（外部機器）２００と、モニタ３００とを有している。
【００２２】
電子内視鏡１００は、操作者が把持する把持操作部（図示せず）と、この把持操作部から延出する可撓性のある挿入部１１０と、この把持操作部から挿入部１１０とは反対側に延出するユニバーサルチューブ１２０とを有している。ユニバーサルチューブ１２０の先端にはコネクタ部１３０が設けられており、このコネクタ部１３０のコネクタ端子（図示せず）とプロセッサ２００のコネクタ端子（図示せず）が接続可能になっている。
【００２３】
電子内視鏡１００にはライトガイドファイバ１４０が内蔵されており、このライトガイドファイバ１４０は、挿入部１１０、把持操作部（図示せず）及びユニバーサルチューブ１２０を通り、コネクタ部１３０から突出するライトガイドスリーブ（図示せず）の内部まで延びている。コネクタ部１３０のコネクタ端子（図示せず）とプロセッサ２００のコネクタ端子（図示せず）が接続されると、ライトガイドファイバ１４０は、プロセッサ２００に内蔵された照明光学システム２１０と光学的に接続される。そして、照明光学システム２１０から発せられた照明光は、ライトガイドファイバ１４０内を導かれ、挿入部１１０の前端面に設けられた照明レンズ１５０によって所定の配光で外方に出射される。
【００２４】
挿入部１１０の前端面には、被写体光を取り込む対物レンズ１６０が設けられており、その直後に、被写体の画像信号を取得するＣＣＤ１７０が設けられている。ＣＣＤ１７０が取得した被写体の画像信号は、信号伝送ケーブル１８０を介して伝送され、ＣＰＵ１００Ｘの制御下でＲＯＭ１００Ｙに読み込まれ、ＣＰＵ１００Ｘからプロセッサ２００内のＣＰＵ２７０に出力される。ＣＰＵ２７０は、入力した画像信号に所定の画像処理を施して観察画像とし、これをモニタ３００に表示する。なお、電子内視鏡１００のＣＰＵ１００Ｘとプロセッサ２００のＣＰＵ２７０との間では、ＣＣＤ１７０が取得した被写体の画像信号の他にも、各種の制御信号等が伝送される。
【００２５】
図２に示すように、電子内視鏡１００の把持操作部（図示せず）には、例えば押しボタン式の入力操作スイッチ（入力操作部）１９１、１９２、１９３、１９４が設けられている。入力操作スイッチ１９１〜１９４には、電子内視鏡システム１０の基本的な（本来の）機能を発揮させるための各種の通常入力操作が割り当てられている。例えば、入力操作スイッチ１９１には画像フリーズ（キャプチャ）機能、入力操作スイッチ１９２にはプリンタ出力機能、入力操作スイッチ１９３には送気送水機能、入力操作スイッチ１９４には光量調整機能をそれぞれ割り当てることができる。入力操作スイッチ１９１〜１９４の通常入力操作は、押しボタンを短時間で１回だけ押下するというものであり、仮に、複数の押しボタンが時間的に重複して押下されたような場合には、当該通常入力操作が受け付けられずに破棄されるのが原則である。
【００２６】
一方、上記原則の例外として、入力操作スイッチ１９１〜１９４には、上記通常入力操作とは異なる特殊入力操作が割り当てられている。本実施形態では、「第１の入力操作（第１の特殊入力操作）」として「入力操作スイッチ１９１、１９２を同時に５秒以上押下する（長押しする）こと」が予め設定されており、「第２の入力操作（第２の特殊入力操作）」として「入力操作スイッチ１９１を５回以上押下する（連打する）こと」が予め設定されている。
【００２７】
「第１の入力操作（第１の特殊入力操作）」と「第２の入力操作（第２の特殊入力操作）」は、電子内視鏡１００の製造時やメンテナンス時（アップデート時）に設定することができる。また、「第１の入力操作（第１の特殊入力操作）」と「第２の入力操作（第２の特殊入力操作）」の具体的態様には自由度があり、種々の設計変更が可能である。例えば、「第１の入力操作（第１の特殊入力操作）」として「入力操作スイッチ１９１〜１９４を同時に７秒以上押下する（長押しする）こと」を予め設定し、「第２の入力操作（第２の特殊入力操作）」として「入力操作スイッチ１９１、１９３を交互に３回以上押下する（連打する）こと」を予め設定してもよい。
【００２８】
プロセッサ２００は、電子内視鏡１００のライトガイドファイバ１４０に照明光を供給するための照明光学システム２１０を有している。この照明光学システム２１０は、光源ランプ２２０と、集光レンズ２３０と、調光機構２４０とを有している。
【００２９】
光源ランプ２２０は、コリメータレンズ（図示せず）を内蔵しており、ランプ電源２５０からの点灯用電力の供給を受けて、平行光からなる照明光（平行照明光）を出射する。ランプ電源２５０は、ＣＰＵ２７０からの点灯電流指示信号やその他の制御信号による制御の下で、光源ランプ２２０に点灯用電力を供給する。集光レンズ２３０は、光源ランプ２２０が出射した平行照明光をライトガイドファイバ１４０の入射端面１４５に向けて集光する。
【００３０】
調光機構２４０は、光源ランプ２２０と集光レンズ２３０の間の光路上に設けられ、光源ランプ２２０が出射した平行照明光の光量を調整して集光レンズ２３０に導く。調光機構２４０は、調光用網部材（図示せず）を有している。この調光用網部材の網目部は、光源ランプ２２０が出射した平行照明光を遮る遮光部を構成し、この調光用網部材の網目部の間に形成された間隙部は、光源ランプ２２０が出射した平行照明光を通過させる複数の開口部を構成している。モータ２６０により、調光機構２４０の調光用網部材を光源ランプ２２０と集光レンズ２３０の間の光路上に挿脱駆動し、さらに当該光路上で回転駆動することで、光源ランプ２２０が出射した平行照明光の光量が調整される。モータ２６０による調光機構２４０の調光用網部材の挿脱駆動及び回転駆動は、ＣＰＵ２７０からの制御信号によって制御される。
【００３１】
以上のように構成された電子内視鏡１００とプロセッサ２００は、それぞれ、画像伝送方式（映像システム）として、ＮＴＳＣ方式とＰＡＬ方式を設定可能である。ＮＴＳＣ方式では、１秒間の画像（映像）が３０枚の静止画から構成され、ＰＡＬ方式では、１秒間の画像（映像）が２５枚の静止画から構成される。電子内視鏡１００とプロセッサ２００の画像伝送方式が一致していれば（両方がＮＴＳＣ方式またはＰＡＬ方式であれば）、正常な画像の出力が可能であり、ユーザが画像を視認することができる。一方、電子内視鏡１００とプロセッサ２００の画像伝送方式が一致していないと（一方がＮＴＳＣ方式で他方がＰＡＬ方式であると）、画像に異常が生じてしまい、ユーザが画像を視認することができない。
【００３２】
電子内視鏡１００では、その製造時やメンテナンス時（アップデート時）などの各種のタイミングで、自身に最適な設定データ（例えば画質パラメータ等）を専用のメモリ（例えばＥＥＰＲＯＭ等）に格納する（書き込む）処理が行われる。電子内視鏡１００の起動時には、メモリに格納された設定データが読み出され、各デバイスへのレジスタ初期設定等が行われる。以下、図３と図４を参照して、この設定データの格納処理（書き込み処理）のための構成及び動作について詳細に説明する。
【００３３】
図３に示すように、電子内視鏡１００は、候補データ格納部（ＲＯＭ）１００Ａと、候補データ抽出部（マイコン）１００Ｂと、設定データ格納部（ＥＥＰＲＯＭ）１００Ｃとを有している。図３の候補データ格納部１００Ａは、例えば、図１のＲＯＭ１００Ｙの一構成要素（一機能）として実現することができる（図３の候補データ格納部１００Ａと図１のＲＯＭ１００Ｙは同一の構成要素とみなすことができる）。図３の候補データ抽出部１００Ｂ及びエラー報知部１００Ｄ（後述する）は、例えば、図１のＣＰＵ１００Ｘの一構成要素（一機能）として実現することができる（図３の候補データ抽出部１００Ｂ及びエラー報知部１００Ｄと図１のＣＰＵ１００Ｘは同一の構成要素とみなすことができる）。
【００３４】
候補データ格納部１００Ａは、複数の機種（例えば上部消化管内視鏡や下部消化管内視鏡等）の電子内視鏡に対応付けられた複数の候補データ（例えば画質パラメータ等）をテーブルとして格納している。各候補データは、対応する電子内視鏡（製品番号や付属情報などの機種情報）に応じて最適化されている。本実施形態では、候補データ格納部１００Ａは、ｎ種類の電子内視鏡（製品番号や付属情報などの機種情報）に対応付けられたｎ種類の候補データを格納している。
【００３５】
候補データ抽出部１００Ｂは、プロセッサ（外部機器）２００との間の通信により、候補データ格納部１００Ａが格納する複数（ｎ種類）の候補データのいずれかを抽出する。プロセッサ２００との間の通信を介した候補データの抽出プロセスについては後に詳細に説明する。
【００３６】
設定データ格納部１００Ｃは、候補データ抽出部１００Ｂが抽出した候補データを設定データとして格納する。候補データ格納部１００Ａが格納する複数（ｎ種類）の候補データは設定データ格納部１００Ｃに格納される可能性があるものであり、その中から候補データ抽出部１００Ｂにより抽出されて設定データ格納部１００Ｃに格納された候補データだけが設定データとなる。
【００３７】
図３に示すように、プロセッサ２００は、絞り込み情報生成送信部２００Ａと、選択情報生成送信部２００Ｂと、設定データ格納判定部２００Ｃとを有している。
【００３８】
絞り込み情報生成送信部２００Ａは、候補データ格納部１００Ａが格納する複数（ｎ種類）の候補データを絞り込むための絞り込み情報（機種受信コマンド）を生成して、当該絞り込み情報を候補データ抽出部１００Ｂに送信する。ここで、絞り込み情報は、例えば、ユーザのマニュアル入力操作によって画像伝送方式（ＮＴＳＣ／ＰＡＬ）や撮像素子の分類等を指定する、あるいは、プロセッサ２００の対応可能機種だけを指定することで生成される。候補データ抽出部１００Ｂは、絞り込み情報生成送信部２００Ａから受信した絞り込み情報に基づく絞り込み候補データを候補データ格納部１００Ａから一次抽出し、一次抽出した絞り込み候補データをプロセッサ２００に送信する。
【００３９】
選択情報生成送信部２００Ｂは、候補データ抽出部１００Ｂから受信した絞り込み候補データに基づく選択情報を生成して、当該選択情報を候補データ抽出部１００Ｂに送信する。より具体的に、プロセッサ２００のタッチパネル（図示せず）またはモニタ３００等には、候補データ抽出部１００Ｂから受信した絞り込み候補データが一覧表示され、ユーザのマニュアル選択操作によって、一覧表示された絞り込み候補データのいずれを選択したかの選択情報が生成される。候補データ抽出部１００Ｂは、選択情報生成送信部２００Ｂから受信した選択情報に基づいて、設定データとしての候補データ（設定データ格納部１００Ｃに格納すべき候補データ）を候補データ格納部１００Ａから二次抽出する。
【００４０】
設定データ格納判定部２００Ｃは、選択情報に基づいた適切な候補データが候補データ格納部１００Ａから抽出（二次抽出）され、設定データとして設定データ格納部１００Ｃに格納されたか否かを判定する。設定データ格納判定部２００Ｃは、判定の結果に応じて、設定データの格納処理（書き込み処理）を終了し、または、設定データの格納処理（書き込み処理）を再実行する。
【００４１】
図３に示すように、電子内視鏡１００は、エラー報知部１００Ｄを有している。このエラー報知部１００Ｄは、候補データ抽出部１００Ｂが絞り込み候補データの一次抽出、または、設定データとしての候補データ（設定データ格納部１００Ｃに格納すべき候補データ）の二次抽出に失敗したときに、その旨をプロセッサ２００側にエラー送信する。またエラー報知部１００Ｄは、設定データ格納部１００Ｃが設定データとしての候補データ（設定データ格納部１００Ｃに格納すべき候補データ）の格納に失敗したときに、その旨をプロセッサ２００側にエラー送信する。エラー報知部１００Ｄからのエラー送信を受けたプロセッサ２００は、例えば、応答コマンド、モニタ画面の表示、スピーカーによる音声を介したエラー報知を実行する。
【００４２】
図４のフローチャートを参照して、本実施形態の電子内視鏡システム１０による設定データの格納処理（書き込み処理）について詳細に説明する。図４のフローチャートは、例えば、電子内視鏡１００とプロセッサ２００が接続されて互いに通信可能な状態で実行される。
【００４３】
ステップＳ１では、プロセッサ２００側におけるユーザのマニュアル入力操作によって、設定データの格納処理（書き込み処理）が開始される。ステップＳ２では、プロセッサ２００の絞り込み情報生成送信部２００Ａが、例えば、ユーザのマニュアル入力操作によって画像伝送方式（ＮＴＳＣ／ＰＡＬ）や撮像素子の分類等を指定する、あるいは、プロセッサ２００の対応可能機種だけを指定することにより、絞り込み情報（絞り込み機種情報）を生成する。絞り込み情報生成送信部２００Ａは、生成した絞り込み情報を電子内視鏡１００側に送信する。
【００４４】
ステップＳ３では、電子内視鏡１００の候補データ抽出部１００Ｂが、絞り込み情報生成送信部２００Ａから受信した絞り込み情報に基づく絞り込み候補データを検索する。ステップＳ４では、候補データ抽出部１００Ｂが、絞り込み候補データの検索が成功したか否かを判定する。絞り込み候補データの検索が成功したときは（ステップＳ４：Ｙｅｓ）、ステップＳ５に進み、絞り込み候補データの検索が失敗したときは（ステップＳ４：Ｎｏ）、ステップＳ８に進む。
【００４５】
ステップＳ５では、電子内視鏡１００の候補データ抽出部１００Ｂが、検索に成功した絞り込み候補データを候補データ格納部１００Ａから一次抽出しようと試みる。ステップＳ６では、候補データ抽出部１００Ｂが、絞り込み候補データの一次抽出が成功したか否かを判定する。絞り込み候補データの一次抽出が成功したときは（ステップＳ６：Ｙｅｓ）、ステップＳ７に進んで、一次抽出した絞り込み候補データをプロセッサ２００側に送信し、さらにステップＳ１０に進む。絞り込み候補データの一次抽出が失敗したときは（ステップＳ６：Ｎｏ）、ステップＳ８に進む。
【００４６】
ステップＳ８では、エラー報知部１００Ｄが、候補データ抽出部１００Ｂが絞り込み候補データの検索または一次抽出に失敗した旨をプロセッサ２００側にエラー送信する。ステップＳ９では、エラー送信を受けたプロセッサ２００側で、例えば、応答コマンド、モニタ画面の表示、スピーカーによる音声を介したエラー報知が実行されて、処理が終了される。
【００４７】
ステップＳ１０では、プロセッサ２００のタッチパネル（図示せず）またはモニタ３００等に、一次抽出された絞り込み候補データが一覧表示される。ステップＳ１１では、ユーザのマニュアル選択操作によって、一覧表示された絞り込み候補データのいずれかが選択される。ステップＳ１２では、プロセッサ２００の選択情報生成送信部２００Ｂが、ステップＳ１１の選択結果に応じた選択情報（絞り込み候補データに基づく選択情報）を生成して、当該選択情報を候補データ抽出部１００Ｂに送信する。
【００４８】
ステップＳ１３では、電子内視鏡１００の候補データ抽出部１００Ｂが、選択情報生成送信部２００Ｂから受信した選択情報に基づく設定データとしての候補データ（設定データ格納部１００Ｃに格納すべき候補データ）を候補データ格納部１００Ａから二次抽出しようと試みる。ステップＳ１４では、候補データ抽出部１００Ｂが、設定データとしての候補データの二次抽出が成功したか否かを判定する。設定データとしての候補データの二次抽出が成功したときは（ステップＳ１４：Ｙｅｓ）、ステップＳ１５に進み、設定データとしての候補データの二次抽出が失敗したときは（ステップＳ１４：Ｎｏ）、ステップＳ１９に進む。
【００４９】
ステップＳ１５では、電子内視鏡１００の設定データ格納部１００Ｃが、候補データ抽出部１００Ｂが二次抽出した設定データとしての候補データ（設定データ格納部１００Ｃに格納すべき候補データ）の格納（書き込み）を試みる。ステップＳ１６では、設定データ格納部１００Ｃが、設定データとしての候補データの格納（書き込み）が成功したか否かを判定する。
【００５０】
設定データ格納部１００Ｃが設定データとしての候補データの格納（書き込み）に成功したときは（ステップＳ１６：Ｙｅｓ）、ステップＳ１７に進んで、プロセッサ２００側に向けてその旨を結果送信し、さらにステップＳ１８に進む。ステップＳ１８では、プロセッサ２００の設定データ格納判定部２００Ｃが、選択情報に基づいた適切な設定データが設定データ格納部１００Ｃに格納されたことを報知して、処理を終了する。設定データ格納部１００Ｃによる設定データとしての候補データの格納（書き込み）が失敗したときは（ステップＳ１６：Ｎｏ）、ステップＳ１９に進む。
【００５１】
ステップＳ１９では、エラー報知部１００Ｄが、候補データ抽出部１００Ｂが設定データとしての候補データの二次抽出に失敗した旨、または、設定データ格納部１００Ｃが設定データとしての候補データの格納に失敗した旨をプロセッサ２００側にエラー送信する。ステップＳ２０では、エラー送信を受けたプロセッサ２００側で、例えば、応答コマンド、モニタ画面の表示、スピーカーによる音声を介したエラー報知が実行されて、処理が終了される。
【００５２】
このように、本実施形態の電子内視鏡システム１０及び電子内視鏡１００によれば、候補データ格納部１００Ａが、複数の電子内視鏡に対応付けられた複数の候補データを格納し、候補データ抽出部１００Ｂが、プロセッサ（外部機器）２００との間の通信により、候補データ格納部１００Ａが格納する複数の候補データのいずれかを抽出し、設定データ格納部１００Ｃが、候補データ抽出部１００Ｂが抽出した候補データを設定データとして格納する。これにより、簡易な構成でユーザに手間や時間が掛かることなく、電子内視鏡１００の設定データ格納部１００Ｃに最適な設定データを格納することができる。
【００５３】
候補データ格納部１００Ａとして汎用ＲＯＭメモリを使用することで、多数の機種情報と多数の設定データであっても好適に対処することが可能になる。また機種情報と設定データを対応付けたテーブルを電子内視鏡１００に持たせることで、設定データの初期設定や更新設定の際に、プロセッサ２００の更新や変更（バージョンアップ）等が不要である。さらに電子内視鏡１００とプロセッサ（外部機器）２００を含むユーザーインターフェースにより、切替え可能な機種情報（設定データ）を一覧表示することで、機種情報（設定データ）を選択する際のユーザの負担を軽減することができる。このユーザーインターフェースは、例えば、プロセッサ２００の対応可能機種だけを選択対象に含める、または、類似機種情報を一覧表示（画像伝送方式（ＮＴＳＣ／ＰＡＬ）や撮像素子の分類等）することで曖昧な値でも検索できる、といった柔軟な対応を可能とする。従来品では、設定データの切替えの際に機種を特定する情報を完全に一致させる必要があり、機種数が多い場合に機種の指定が煩雑であったが、本実施形態のユーザーインターフェースを使用すれば、そのような問題は発生しない。
【００５４】
ところで、上述した設定データの格納処理（書き込み処理）では、ユーザがプロセッサ２００のタッチパネル（図示せず）またはモニタ３００を視認できることが前提となる。このため、電子内視鏡１００とプロセッサ２００の画像伝送方式が一致していることが要求される。しかし、実際には、製造時やメンテナンス時（アップデート時）などに電子内視鏡１００の設定を間違えることで、電子内視鏡１００とプロセッサ２００の画像伝送方式が異なってしまう事態が起こり得る。本実施形態では、このような場合でも、最低限の機材だけで、すなわち既存の電子内視鏡１００に対してユーザが簡単な入力操作（特殊入力操作）を行うだけで、電子内視鏡１００の画像伝送方式を切替えてプロセッサ２００の画像伝送方式と一致させることができる。さらに、電子内視鏡１００を製造する側にとっては、電子内視鏡１００の画像伝送方式を考慮することなく安価に大量生産することが可能になる（電子内視鏡１００を使用する側でプロセッサ２００に応じて画像伝送方式を変更できるためである）。以下、図５、図６、図７を参照して、電子内視鏡１００の画像伝送方式を切替えるための構成及び動作について詳細に説明する。
【００５５】
図５に示すように、電子内視鏡１００は、判定部１００Ｅと、切替え部１００Ｆとを有している。図５の判定部１００Ｅと切替え部１００Ｆは、例えば、図１のＣＰＵ１００Ｘの一構成要素（一機能）として実現することができる（図５の判定部１００Ｅ及び切替え部１００Ｆと図１のＣＰＵ１００Ｘは同一の構成要素とみなすことができる）。
【００５６】
判定部１００Ｅは、電子内視鏡１００とプロセッサ２００の接続状態で、電子内視鏡１００の画像伝送方式とプロセッサ２００の画像伝送方式が一致しているか否かを判定する。判定部１００Ｅは、電子内視鏡１００の画像伝送方式とプロセッサ２００の画像伝送方式が一致していない場合、その旨を切替え部１００Ｆに報知する。
【００５７】
切替え部１００Ｆは、電子内視鏡１００の画像伝送方式とプロセッサ２００の画像伝送方式が一致していないと判定部１００Ｅが判定したとき、電子内視鏡１００の画像伝送方式を切替え可能である。
【００５８】
より具体的に、切替え部１００Ｆは、電子内視鏡１００の画像伝送方式とプロセッサ２００の画像伝送方式が一致していないと判定部１００Ｅが判定した場合において、予め定められた「第１の入力操作（例えば入力操作スイッチ１９１、１９２を同時に５秒以上押下する）」が実行されたとき、電子内視鏡１００の画像伝送方式を切替えるための切替えフラグを成立させる。
【００５９】
そして、切替え部１００Ｆは、上記切替えフラグの成立中に電子内視鏡１００がプロセッサ２００に再接続された場合において、所定時間（例えば５秒）内に予め定められた「第２の入力操作（例えば入力操作スイッチ１９１を５回以上押下する）」が実行されたとき、電子内視鏡１００の画像伝送方式の切替えを実行する。
【００６０】
図６、図７は、電子内視鏡１００の画像伝送方式の切替え処理を示す第１、第２のフローチャートである。
【００６１】
図６のステップＳ２１では、電子内視鏡１００がプロセッサ２００に接続される。
【００６２】
図６のステップＳ２２では、判定部１００Ｅが、電子内視鏡１００の画像伝送方式とプロセッサ２００の画像伝送方式が一致しているか否かを判定する。判定部１００Ｅは、電子内視鏡１００の画像伝送方式とプロセッサ２００の画像伝送方式が一致していない場合（ステップＳ２２：Ｎｏ）、その旨を切替え部１００Ｆに報知して、ステップＳ２３に進む。判定部１００Ｅは、電子内視鏡１００の画像伝送方式とプロセッサ２００の画像伝送方式が一致している場合（ステップＳ２２：Ｙｅｓ）、その旨を切替え部１００Ｆに報知することなく、処理を終了する。
【００６３】
ここで、電子内視鏡１００の画像伝送方式とプロセッサ２００の画像伝送方式が一致しているか否かは、ユーザにとって、プロセッサ２００のタッチパネル（図示せず）またはモニタ３００に表示される画像（映像）が正常であるか異常であるかによって把握される。表示画像が正常であれば、電子内視鏡１００の画像伝送方式とプロセッサ２００の画像伝送方式が一致していると把握され、ユーザ側で行うべき処理は何もない。これに対し、表示画像が異常であれば、電子内視鏡１００の画像伝送方式とプロセッサ２００の画像伝送方式が一致していないと把握され、ユーザは、電子内視鏡１００の画像伝送方式を切替えてプロセッサ２００の画像伝送方式と一致させるべく、上述した「第１、第２の入力操作（特殊入力操作）」の実行の準備に入る。
【００６４】
図６のステップＳ２３では、切替え部１００Ｆによる電子内視鏡１００の画像伝送方式の切替え処理が実行される。この処理は、図７のフローチャートを参照して詳細に説明する。
【００６５】
図６のステップＳ２４では、図４のフローチャートで説明した設定データの格納処理（書き込み処理）が実行される。
【００６６】
図７のステップＳ３１では、電子内視鏡１００とプロセッサ２００の接続が確認される。
【００６７】
図７のステップＳ３２では、切替え部１００Ｆが、切替えフラグが成立しているか否かを判定する。切替えフラグが成立していない場合（ステップＳ３２：Ｎｏ）は、ステップＳ３３に進み、切替えフラグが成立している場合（ステップＳ３２：Ｙｅｓ）は、ステップＳ３６に進む。
【００６８】
図７のステップＳ３３では、切替え部１００Ｆが、ユーザによって予め定められた「第１の入力操作（例えば入力操作スイッチ１９１、１９２を同時に５秒以上押下する）」が実行されたか否かを判定する。ユーザによって「第１の入力操作」が実行された場合（ステップＳ３３：Ｙｅｓ）は、ステップＳ３４に進む。ユーザによって「第１の入力操作」が実行されていない場合（ステップＳ３３：Ｎｏ）は、ユーザによって「第１の入力操作」が実行されるのを待つ。
【００６９】
図７のステップＳ３４では、切替え部１００Ｆが、電子内視鏡１００の画像伝送方式を切替えるための切替えフラグを成立させる。
【００７０】
図７のステップＳ３５では、切替えフラグの成立状態を維持しながら、電子内視鏡１００がプロセッサ２００に再接続されるまで（電子内視鏡１００を一旦プロセッサ２００から抜いて再度差し込むまで）、通常動作が実行される。
【００７１】
切替えフラグの成立中に電子内視鏡１００がプロセッサ２００に再接続されると、ステップＳ３１に戻って電子内視鏡１００とプロセッサ２００の再接続が確認され、ステップＳ３２の判定を経由して、ステップＳ３６に進む。
【００７２】
図７のステップＳ３６では、切替え部１００Ｆが、ユーザによって所定時間（例えば５秒）内に予め定められた「第２の入力操作（例えば入力操作スイッチ１９１を５回以上押下する）」が実行されたか否かを判定する。ユーザによって所定時間内に「第２の入力操作」が実行された場合（ステップＳ３６：Ｙｅｓ）は、ステップＳ３７に進む。ユーザによって所定時間内に「第２の入力操作」が実行されなかった場合（ステップＳ３６：Ｎｏ）は、ステップＳ３７をスキップしてステップＳ３８に進む。
【００７３】
図７のステップＳ３７では、切替え部１００Ｆが、電子内視鏡１００の画像伝送方式の切替えを実行することで、電子内視鏡１００の画像伝送方式とプロセッサ２００の画像伝送方式を一致させる。例えば、電子内視鏡１００の画像伝送方式がＮＴＳＣ方式でプロセッサ２００の画像伝送方式がＰＡＬ方式であった場合には、電子内視鏡１００の画像伝送方式がＮＴＳＣ方式からＰＡＬ方式に切替えられる（ＰＡＬ方式に統一される）。
【００７４】
図７のステップＳ３８では、切替え部１００Ｆが、ステップＳ３４で成立させた切替えフラグを非成立状態とする。また図７のステップＳ３５では、切替えフラグの非成立状態を維持しながら、電子内視鏡１００がプロセッサ２００に再接続されるまで（電子内視鏡１００を一旦プロセッサ２００から抜いて再度差し込むまで）、通常動作が実行される。
【００７５】
以上説明した電子内視鏡１００の画像伝送方式の設定方法及び設定プログラムは、電子内視鏡１００のＣＰＵ１００Ｘ（判定部１００Ｅ、切替え部１００Ｆ）に上述した各種処理ステップを実行させることにより実現される。
【００７６】
このように、本実施形態の電子内視鏡システム１０及び電子内視鏡１００によれば、電子内視鏡１００が、プロセッサ２００への接続状態で電子内視鏡１００の画像伝送方式とプロセッサ２００の画像伝送方式が一致しているか否かを判定する判定部１００Ｅと、電子内視鏡１００の画像伝送方式とプロセッサ２００の画像伝送方式が一致していないと判定部１００Ｅが判定したときに電子内視鏡１００の画像伝送方式を切替え可能な切替え部１００Ｆとを有している。これにより、電子内視鏡１００とプロセッサ２００の画像伝送方式が異なっている場合であっても、簡単にこれらを一致させることが可能になる。
【００７７】
以上の実施形態では、電子内視鏡１００と接続されて互いに通信可能な外部機器としてプロセッサ２００を用いた場合を例示して説明したが、外部機器はプロセッサ２００に限定されず、プロセッサ２００以外の設定機器（例えばコンピュータ）とすることも可能である。
【００７８】
以上の実施形態では、電子内視鏡１００とプロセッサ２００の画像伝送方式（映像システム）としてＮＴＳＣ方式とＰＡＬ方式を使用する場合を例示して説明した。しかし、電子内視鏡１００とプロセッサ２００の画像伝送方式は、ＮＴＳＣ方式とＰＡＬ方式以外のものであってもよい。
【符号の説明】
【００７９】
１０  電子内視鏡システム
１００  電子内視鏡
１００Ａ  候補データ格納部（ＲＯＭ）
１００Ｂ  候補データ抽出部（マイコン）
１００Ｃ  設定データ格納部（ＥＥＰＲＯＭ）
１００Ｄ  エラー報知部
１００Ｅ  判定部
１００Ｆ  切替え部
１００Ｘ  ＣＰＵ
１００Ｙ  ＲＯＭ
１１０  挿入部
１２０  ユニバーサルチューブ
１３０  コネクタ部
１４０  ライトガイドファイバ
１４５  入射端面
１５０  照明レンズ
１６０  対物レンズ
１７０  ＣＣＤ
１８０  信号伝送ケーブル
１９１  １９２  １９３  １９４  入力操作スイッチ（入力操作部）
２００  プロセッサ（外部機器）
２００Ａ  絞り込み情報生成送信部
２００Ｂ  選択情報生成送信部
２００Ｃ  設定データ格納判定部
２１０  照明光学システム
２２０  光源ランプ
２３０  集光レンズ
２４０  調光機構
２５０  ランプ電源
２６０  モータ
２７０  ＣＰＵ
３００  モニタ
【図１】
2018143328.tif 000003
【図２】
2018143328.tif 000004
【図３】
2018143328.tif 000005
【図４】
2018143328.tif 000006
【図５】
2018143328.tif 000007
【図６】
2018143328.tif 000008
【図７】
2018143328.tif 000009